(57)【特許請求の範囲】
【請求項１】
原稿画像データを作成するデータ作成部と、
記録媒体を収納する収納トレイと、
前記収納トレイ内の記録媒体を搬送する搬送部と、
前記搬送部により前記収納トレイから搬送された前記記録媒体に対して、前記データ作成部で作成した前記原稿画像データを基に画像を形成するとともに、前記記録媒体の種類に固有の画像データに基づいて前記画像に対し合成処理を施す画像形成部と、
前記画像形成部で画像が形成された前記記録媒体に対して後処理を施す後処理部と、
前記記録媒体の各種類に対応する前記合成処理及び前記後処理の少なくともいずれか一方の出力処理内容を当該種類の名称とともに記憶する記憶部と、
前記記録媒体の名称が入力される入力部と、
前記入力部から入力された前記記録媒体の種類に対応する前記出力処理内容を前記記憶部から読み出し、当該出力処理内容に基づいて前記画像形成部及び前記後処理部の少なくともいずれか一方を制御する制御部とを備えることを特徴とする画像形成装置。
【請求項２】
請求項１記載の画像形成装置において、
前記出力処理内容が前記合成処理を含む場合、前記制御部は、前記データ作成部で作成された前記原稿画像データに、前記固有の画像データを前記記憶部から読み出して重ね書きし、得られたデータに基づいて前記画像形成部を制御することを特徴とする画像形成装置。
【請求項３】
請求項１又は２記載の画像形成装置において、
前記出力処理内容が前記後処理を含む場合、前記制御部は、前記データ作成部で作成された前記原稿画像データに基づいて前記画像形成部を制御し、画像が形成された前記記録媒体に前記後処理を施すべく前記後処理部を制御することを特徴とする画像形成装置。
【請求項４】
請求項１〜３の何れか一項に記載の画像形成装置において、
前記入力部は、前記記録媒体の名称と、当該名称に対応する出力処理内容とを関連付けて入力可能であり、
前記記憶部は、前記入力部からの入力内容に基づいて、前記記録媒体の各種類に対応する前記出力処理内容を書き換えて記憶することを特徴とする画像形成装置。
【請求項５】
請求項４記載の画像形成装置において、
前記入力部には、前記収納トレイと、前記収納トレイに収納される前記記録媒体の種類に対応する前記出力処理内容とを関連付けて入力可能であることを特徴とする画像形成装置。
【発明の詳細な説明】
【技術分野】
【０００１】
本発明は、画像形成装置に係り、特に画像形成以外の出力処理を施す画像形成装置に関する。
【背景技術】
【０００２】
従来、軽印刷市場における画像形成装置は、顧客のニーズにより、斤量、紙種、色等の異なる多種、多様の用紙による印刷の依頼があり、顧客専用の用紙等も用意されている場合もある。また、これらの用紙で印刷する際は、専用の用紙毎に印刷物の後処理である製本処理でのステープル処理（綴じ位置の指定）、パンチ（２穴か３穴か）、ソートの方法等の指定や、片面しか印刷できない用紙、色紙に濃度を濃く出したいものや、印刷物の特定の位置に会社名やロゴ等を印刷するなどの応用機能（合成処理）の依頼があり、用紙に対して一義的に決まるものも多く、このようなものに対してオペレータはその都度、顧客の仕事に依頼により画像形成装置の操作部から設定変更を行っていた。そのため万一の不注意の設定ミスにより大量の不良印刷物が出力される場合もあった。
これに対し、例えば特許文献１では、給紙カセットに装着されている用紙の種類により、画像形成プロセス条件（定着温度、転写電流等）を変えて、画像不良を防ぐものが記載されている。また、例えば特許文献２では、用紙の種類により、両面印刷の表面と裏面との倍率調整値を記憶し、定着時における用紙の縮みなどを補正するものが記載されている。
【特許文献１】特開２００４−３２５７７０号公報
【特許文献２】特開平１１−１１９５９８号公報
【発明の開示】
【発明が解決しようとする課題】
【０００３】
しかしながら、上記の特許文献１、２に記載されているものであると、画像不良の防止や、用紙の縮みに対応した倍率変更は行われるものの、後処理や、合成処理に対応できていないのが現状であった。
【０００４】
本発明の課題は、顧客の用紙の種類に対応する出力条件を用紙名称とともに記憶し、出力トレイに用紙名称を割り当てて、さらにそのトレイを選択した際に、用紙名称に対応した出力条件を記憶部から読み出して、出力条件を設定することで、複雑な依頼に対応した出力条件も、用紙を選択することにより間違いなく設定可能とし、設定作業の効率化、正確性を高めた画像形成装置を提供することである。
【課題を解決するための手段】
【０００５】
請求項１記載の発明における画像形成装置は、
原稿画像データを作成するデータ作成部と、
記録媒体を収納する収納トレイと、
前記収納トレイ内の記録媒体を搬送する搬送部と、
前記搬送部により前記収納トレイから搬送された前記記録媒体に対して、前記データ作成部で作成した前記原稿画像データを基に画像を形成するとともに、前記記録媒体の種類に固有の画像データに基づいて前記画像に対し合成処理を施す画像形成部と、
前記画像形成部で画像が形成された前記記録媒体に対して後処理を施す後処理部と、
前記記録媒体の各種類に対応する前記合成処理及び前記後処理の少なくともいずれか一方の出力処理内容を当該種類の名称とともに記憶する記憶部と、
前記記録媒体の名称が入力される入力部と、
前記入力部から入力された前記記録媒体の種類に対応する前記出力処理内容を前記記憶部から読み出し、当該出力処理内容に基づいて前記画像形成部及び前記後処理部の少なくともいずれか一方を制御する制御部とを備えることを特徴としている。
【０００６】
請求項２記載の発明は、請求項１記載の画像形成装置において、
前記出力処理内容が前記合成処理を含む場合、前記制御部は、前記データ作成部で作成された前記原稿画像データに、前記固有の画像データを前記記憶部から読み出して重ね書きし、得られたデータに基づいて前記画像形成部を制御することを特徴としている。
【０００７】
請求項３記載の発明は、請求項１又は２記載の画像形成装置において、
前記出力処理内容が前記後処理を含む場合、前記制御部は、前記データ作成部で作成された前記原稿画像データに基づいて前記画像形成部を制御し、画像が形成された前記記録媒体に前記後処理を施すべく前記後処理部を制御することを特徴としている。
【０００８】
請求項４記載の発明は、請求項１〜３の何れか一項に記載の画像形成装置において、
前記入力部は、前記記録媒体の名称と、当該名称に対応する出力処理内容とを関連付けて入力可能であり、
前記記憶部は、前記入力部からの入力内容に基づいて、前記記録媒体の各種類に対応する前記出力処理内容を書き換えて記憶することを特徴としている。
【０００９】
請求項５記載の発明は、請求項４記載の画像形成装置において、
前記入力部には、前記収納トレイと、前記収納トレイに収納される前記記録媒体の種類に対応する前記出力処理内容とを関連付けて入力可能であることを特徴としている。
【発明の効果】
【００１０】
本発明によれば、記録媒体の各種類に対応する出力処理内容が当該種類の名称とともに予め記憶部に記憶されているので、画像形成毎にその都度出力処理内容を細かく設定しなくとも、記録媒体の名称を選択するだけで当該出力処理内容が設定されて、その出力処理内容が実行されることになる。したがって、設定作業を効率化して、その正確性を高めることができる。
【００１１】
また、入力部からの入力内容に基づいて、記憶部が記録媒体の各種類に対応する出力処理内容を書き換えて記憶するので、各記録媒体に対する出力処理内容の設定を切り替えることができ、ユーザービリティを向上させることができる。
【発明を実施するための最良の形態】
【００１２】
以下、本実施形態における画像形成装置について図を参照にして説明する。図１は、本実施形態の画像形成装置の概略構成を表す正面図である。この図１に示すように、画像形成装置１００は、本体１と、これにオプション接続された後処理部２及び大容量トレイユニット３とにより構成されている。本体１の上面には、操作表示部２０及びＡＤＦ（Auto Document Feeder）部４０が設けられている。
【００１３】
図２に、画像形成装置１００の機能的構成を示す。図２に示す状態管理部１０、操作表示部２０、スキャナ部３０、ＡＤＦ部４０、プリンタ部５０は、図１に示す本体１に含まれる機能である。以下、図２を参照して画像形成装置１００を構成する各部について説明する。
【００１４】
状態管理部１０は、ＣＰＵ１１、プログラムメモリ１２、ＲＡＭ（Random Access Memory）１３、不揮発メモリ１４、読取処理部１５、ＤＲＡＭ（Dynamic Random Access Memory）制御ＩＣ１６、圧縮・伸長ＩＣ１７、画像メモリ（ＤＲＡＭ）１８及び書込処理部１９を備えて構成されている。
【００１５】
ＣＰＵ１１は、プログラムメモリ１２に記憶されているシステムプログラムや画像形成処理プログラム、出力処理プログラム等の各種処理プログラムを読み出してＲＡＭ１３に展開し、展開したプログラムに従って画像形成装置１００の各部の動作を集中制御する。
【００１６】
例えば、ＣＰＵ１１は、操作表示部２０を介して入力されたジョブ毎の設定情報をＲＡＭ１３のジョブ設定格納領域に格納し、格納された設定情報に基づいてジョブを実行する。ジョブとは、印刷等の画像形成に関する一連の動作を指し、例えば、複数枚の原稿をコピーする場合には、複数枚の原稿のコピーに関する一連の動作が１ジョブであり、複数部数のコピーを行う場合は、複数部数分のコピーに関する一連の動作が１ジョブである。
【００１７】
また、ＣＰＵ１１は、読み出したプログラムに従って、画像形成処理や出力処理等の各種処理を実行し、本発明の制御部を実現する。ここで、画像形成処理とは、原稿画像データに基づいて記録媒体に画像を形成するための処理であり、出力処理とは、画像形成処理の処理中及び処理後のいずれかで記録媒体に対して原稿画像データに基づく画像形成処理以外の処理を施す処理である。出力処理としては、例えば、固有の画像データを原稿画像データに合成して、画像形成処理を行う合成処理や、画像形成処理後に記録媒体に後処理を施す後処理等がある。合成処理にはスタンプ処理やウォーターマーク処理等があり、後処理には、ステイプル処理、折り処理、パンチ処理等がある。
【００１８】
プログラムメモリ１２は、半導体等の不揮発メモリ等により構成され、画像形成装置１００に対応するシステムプログラム及び該システムプログラム上で実行可能な画像形成処理プログラム、出力処理プログラム等の各種処理プログラム等を記憶する。プログラムは、コンピュータが読み取り可能なプログラムコードの形態で格納され、ＣＰＵ１１は、当該プログラムコードに従った動作を逐次実行する。
【００１９】
ＲＡＭ１３は、ＣＰＵ１１により実行制御される各種処理において、プログラムメモリ１２から読み出されたプログラム、入力若しくは出力データ及びパラメータ等の一時的な格納領域となる。例えば、ＲＡＭ１３は、ジョブ毎の設定情報を一時的に格納するためのジョブ設定情報格納領域を有する。
【００２０】
不揮発メモリ１４は、画像形成装置１００に係る各種設定データ等を記憶する。例えば、不揮発メモリ１４には、記録媒体の各種類に対応する出力処理での処理内容や、合成処理で用いられる固有の画像データ等が記憶されている。
読取処理部１５は、スキャナ部３０により読み取られたアナログ画像信号をデジタル画像データに変換してＤＲＡＭ制御ＩＣ１６へ出力する。このデジタル画像データが本発明の原稿画像データであり、スキャナ部３０及び読取処理部１５が本発明のデータ作成部である。
【００２１】
ＤＲＡＭ制御ＩＣ１６は、ＣＰＵ１１からの制御に基づいて、読取処理部１５から入力された原稿画像データ、プリントコントローラ部６０から入力された原稿画像データを圧縮・伸長ＩＣ１７により圧縮させ、圧縮された画像データを画像メモリ１８の圧縮メモリ１８ａに書き込んで一時的に記憶させる。また、ＣＰＵ１１から画像データ出力の指示があると、ＤＲＡＭ制御ＩＣ１６は、圧縮メモリ１８ａに記憶されている出力指示された原稿画像データを圧縮・伸長ＩＣ１７により伸長させ、書込処理部１９に出力する。この際、ＣＰＵ１１から合成処理を施す旨の制御信号が出力された場合には、ＤＲＡＭ制御ＩＣ１６は、原稿画像データを圧縮・伸長ＩＣ１７により伸長させてから、不揮発メモリ１４内の固有の画像データを重ね書きして、書込処理部１９に出力するようになっている。
そして、ＤＲＭ制御ＩＣ１６は、プリントコントローラ部６０から入力された制御データをＣＰＵ１１に出力する。
【００２２】
圧縮・伸長ＩＣ１７は、ＤＲＡＭ制御ＩＣ１６の制御により画像データの圧縮処理、伸長処理を行うＩＣである。
画像メモリ１８は、ＤＲＡＭにより構成され、圧縮メモリ１８ａ、ページメモリ１８ｂを有している。圧縮メモリ１８ａは、ＤＲＡＭ制御ＩＣ１６の制御により、圧縮・伸長ＩＣ１７で圧縮された画像データを一時的に記憶する。
【００２３】
書込処理部１９は、圧縮・伸長ＩＣ１７から入力される画像データに基づくＰＷＭ(Pulse Width Modulation)信号を生成し、プリンタ部５０へ出力する。
【００２４】
操作表示部２０は、本発明に係る入力部であり、操作表示制御部２１、ＬＣＤ２２とを備えて構成されている。
操作表示制御部２１は、ＣＰＵ１１からの表示信号を受信して、ＬＣＤ２２における表示制御を行う。また、ＬＣＤ２２上のタッチパネルから入力される操作信号をＣＰＵ１１へ出力する。
ＬＣＤ２２は、操作表示制御部２１から入力される表示信号の指示に従って画面上に各種設定画面や画像の状態表示、各機能の動作状況等の表示を行う。ＬＣＤの画面上は、透明電極を格子状に配置した感圧式（抵抗膜圧式）のタッチパネルが構成されており、手指やタッチペン等で押下された力点のＸＹ座標を電圧値で検出し、検出された位置信号を操作信号として操作表示制御部２１に出力する。
操作表示部２０は、その他、図示しない数字ボタンや各種設定、動作モード等を切替える機能ボタン、スタートボタン等の各種操作ボタンを備えており、ボタン操作による操作信号を操作表示制御部２１からＣＰＵ１１に出力する。
【００２５】
この操作表示部２０には、記録媒体の種類毎の名称が入力されるようになっていて、当該入力内容に基づいてＣＰＵ１１は、入力された記録媒体に対応する出力処理内容を不揮発メモリ１４から読み出して、ＬＣＤ２２に表示するようになっている。また、操作表示部２０は、記録媒体の名称と、当該名称に対応する出力処理内容とを関連付けて入力可能である。このような内容が操作表示部２０に入力されると、ＣＰＵ１１は、操作表示部２０からの入力内容に基づいて、記録媒体の各種類に対応する出力処理内容を書き換えて不揮発メモリ１４に記憶させるようになっている。
【００２６】
スキャナ部３０は、スキャナ制御部３１と、スキャナ３２と、ＡＤＦ制御部４１とを備えて構成されている。
スキャナ制御部３１は、ＣＰＵ１１からの制御信号を受信して、スキャナ３２各部を駆動制御する。スキャナ３２は、プラテンガラスと、ＣＣＤ（Charge Coupled Device）と、光源とを備え、光源から原稿へ照明走査した光の反射光をＣＣＤにより結像して光電変換することにより原稿の画像を読み取り、読み取ったアナログ画像信号を読取処理部１５へ出力する。
【００２７】
ＡＤＦ部４０は、ＣＰＵ１１から入力される制御信号に基づきＡＤＦ部４０各部の制御を行うＡＤＦ制御部４１を備え、原稿トレイＴ１（図１参照）に載置された原稿をスキャナ部３０のプラテンガラス上に１枚ずつ自動給送する。
【００２８】
プリンタ部５０は、プリンタ制御部５１、ＬＤ（Laser Diode）部５２により構成されている。
プリンタ制御部５１は、ＣＰＵ１１からの制御信号を受信して、ＬＤ部８０の各部の動作を制御する。また、プリンタ制御部５１は、ＬＤ部８０内のジャムの発生、ジャム位置及びジャムの解除を検知し、このジャム検知情報をＣＰＵ１１に出力する。また、プリンタ制御部５１は、ジョブ毎に給紙した転写紙の枚数をカウントし、ＣＰＵ１１に出力する。更に、プリンタ制御部５１は、ＣＰＵ１１及び後処理制御部５５間のデータ通信の中継を行う。
【００２９】
ＬＤ部８０は、図１に示すように、ＬＤ８１、感光体ドラム８２、帯電器８３、現像器８４、転写部８５及び定着器８６と、記録媒体を収納する収納トレイ８７ａ〜８７ｃと、搬送部としてＬＤ部８０内の搬送経路に従って記録媒体を搬送するための給紙ローラ８８、レジストローラ８９、排出ローラ９４をはじめとする各種ローラ、搬送路切換板９０及び反転部９１等とを備えて構成されている。ＬＤ部８０の搬送部は、プリンタ制御部５１からの制御に基づき、当該ジョブで使用される種類の記録媒体を収納する収納トレイ８７ａ〜８７ｃの何れかから給紙して、給紙された記録媒体を搬送経路上に搬送する。また、プリンタ制御部５１からの指示に基づいて、感光体ドラム８２表面を帯電器８３により帯電させ、書込処理部１９から入力されたＰＷＭ信号に基づいてＬＤ８１により感光体ドラム８２表面にレーザ光を照射することにより静電潜像を形成し、感光体ドラム８２表面の静電潜像を含む領域に現像器８４によりトナーを付着させる。そして、収納トレイ８７ａ〜８７ｃの何れかから搬送された記録媒体に転写部８５によりトナーを転写して画像を形成し、定着器８６で定着させた後、画像形成済みの記録媒体を排出ローラ９４により後処理部２へ送出する。両面印刷を行う場合には、片面が印刷された記録媒体を搬送路切換板９０、反転経路を介して反転部９１に搬送し、反転部９１により表裏を反転して感光体ドラム８２に再搬送して反転後の表面に画像を形成し、定着後、排出ローラ９４により後処理部２へ送出する。
【００３０】
ＬＤ部８０の搬送経路上には、図示しない複数のセンサが設けられている。これらのセンサは、記録媒体が通過する際にセンサ信号を発生し、プリンタ制御部５１に出力する。プリンタ制御部５１は、記録媒体が或るセンサを通過後に次に検知するはずのセンサ信号が一定時間を経過してもＯＮしない場合に、２つのセンサ間でジャムが発生したことを検知してジャム検知情報をＣＰＵ１１に出力する。
【００３１】
後処理部２は、プリンタ制御部５１を介してＣＰＵ１１から入力される制御信号に基づいて後処理部２各部の制御を行う後処理制御部５５を備える。後処理制御部５５は、ＣＰＵと、後処理部２に対応するシステムプログラム、該システムプログラム上で実行可能な各種処理プログラムを記憶するプログラムメモリと、ＲＡＭとにより構成されている。また、後処理部２には、図１に示すように、画像形成処理が施された記録媒体に対してパンチ穴を開けてパンチ処理を施すためのパンチユニット５２と、当該記録媒体に対してスタッカ処理を施すためのステイプルユニット５３とが、記録媒体の搬送経路上に設けられている。
後処理制御部５５のＣＰＵは、入力された制御信号に基づきプログラムメモリに記憶されたプログラムとの協働により各部を駆動制御し、プリンタ部５０から排出された記録媒体を、複数対のローラ５６等により構成される搬送部により搬送経路にそって搬送し、スタッカ処理やパンチ処理等の後処理を行ってから、排出トレイ５４に排出するようになっている。また、本体２の各種ローラ（給紙ローラ８８、レジストローラ８９、排出ローラ９４）及び後処理部２のローラ５６が、収納トレイ８７ａ〜８７ｃ内の記録媒体を搬送するための本発明の搬送部である。
【００３２】
プリントコントローラ部６０は、Ｉ／Ｆ６１、データ変換部６２等により構成されている。Ｉ／Ｆ６１は、ＮＩＣ（Network Interface Card）やモデム等の、通信ネットワークＮに接続するための通信用インターフェースであり、ＰＣなどの外部装置とのデータの送受信を行う。データ変換部６２は、ＰＣからＩ／Ｆ６１を介して入力された画像データを所定のページ記述言語によって画像形成装置１００で印刷可能なデータ形式の画像データに変換し、制御データとともにＤＲＡＭ制御ＩＣ１６に出力する。このデジタル画像データが本発明の原稿画像データであり、ＰＣ及びプリントコントローラ部６０が本発明のデータ作成部である。つまり、本実施形態においては、ＰＣ及びプリントコントローラ部６０からなるデータ作成部と、スキャナ部３０及び読取処理部１５からなるデータ作成部との２系統のデータ作成部が１台の画像形成装置１００に搭載されている場合を例示している。
【００３３】
次に、本実施形態の作用について説明する。
まず、図３〜図８は、記録媒体の種類登録時に操作表示部２０に表示される設定画面例を表す説明図である。なお、ここでは大容量トレイユニット３と、本体１とを合わせて収納トレイが５つある場合を例示して説明する。図３に示すように設定画面Ｇ１には、各トレイの記録媒体種及び残量を表示するトレイ情報欄２００、スキャナ部３０の状態を表すスキャナ状態表示欄２０１、各ジョブの状況（出力中、予約中、受信中）を表すジョブ表示欄２０２、各種メンテナンス状態を表すメンテナンス欄２０３、画像形成装置１００の状態を表す装置状態欄２０４、表示タブを切り替えるタブ欄２０５、各種指示ボタンが表示される指示ボタン欄２０６が配置されている。
【００３４】
そして、各収納トレイに対する記録媒体の種類を設定する際、ユーザが設定画面Ｇ１の指示ボタン欄２０６左端の用紙設定ボタンＢ１を選択し、タッチすると、操作表示制御部２１はＬＣＤ２２を制御して、図４に示すような用紙設定ダイアログ２０７を設定画面Ｇ１上に表示させる。用紙設定ダイアログ２０７には、収納トレイに関する設定を実行するためのトレイ設定ボタン２０８と、記録媒体の種類に関する設定を実行するための紙種条件登録ボタン２０９とが表示されている。
【００３５】
ユーザが紙種条件登録ボタン２０９をタッチした場合、操作表示制御部２１はＬＣＤ２２を制御して、図５の登録ダイアログ２１０を設定画面Ｇ１上に表示させる。この登録ダイアログ２１０には、登録済みの各記録媒体の種類における各種情報を表示する種類欄２１１が設けられている。ここで、各種情報には、各種類の名称、坪量、色、パンチ穴開きの有無、書き出し位置の調整の有無等がある。
【００３６】
この登録ダイアログ２１０では、登録済みデータの変更や、新たな記録媒体種類の追加が行われるようになっている。変更する場合、変更したい記録媒体種が表示されている種類欄２１１の該当欄をユーザがタッチすると、操作表示制御部２１はＬＣＤ２２を制御して、図６に示す登録内容設定ダイアログ２１２を設定画面Ｇ１上に表示させる。一方、追加する場合には、未登録のため空欄となっている種類欄２１１の該当欄をユーザがタッチすると、操作表示制御部２１はＬＣＤ２２を制御して、図６に示す登録内容設定ダイアログ２１２を設定画面Ｇ１上に表示させる。
【００３７】
登録内容設定ダイアログ２１２には、記録媒体の種類（紙種類ボタン２１３ａ）、記録媒体の名称（任意名称ボタン２１４ａ）、坪量（坪量ボタン２１５ａ）、色（色紙ボタン２１６ａ）、パンチ穴開きの有無（穴あきボタン２１７ａ）、書き出し位置の調整（表裏調整ボタン２１８ａ）、機能登録（機能登録ボタン２１９ａ）などの各種条件が設定できるようになっている。また、これらのボタン２１２ａ〜２１９ａの右側には、各種条件の登録内容（紙種欄２１３ｂ、任意名称欄２１４ｂ、坪量欄２１５ｂ、色紙欄２１６ｂ、穴あき欄２１７ｂ、裏調整欄２１８ｂ、機能登録欄２１９ｂ）が表示されている。ここで、機能登録とは、上述した出力処理の設定を登録するためのものであり、後処理や合成処理の有無や種類等を記録媒体の名称とともに登録できるようになっている。
【００３８】
そして、ユーザが各ボタン２１２ａ〜２１９ａをタッチすると、操作表示制御部２１はＬＣＤ２２を制御して、タッチされた条件の入力画面に切り替えて表示させる。
例えば、機能登録ボタン２１９ａがタッチされた場合には、操作表示制御部２１はＬＣＤ２２を制御して図７に示す機能登録用の入力画面Ｇ２に切り替えて表示させる。この入力画面Ｇ２には、原稿のセット方向を設定するための原稿設定欄２２０、画質を設定するための画質設定欄２２１、倍率を設定するための倍率設定欄２２２、合成処理などの応用機能を設定するための応用設定欄２２３、後処理を設定するための出力設定欄２２４、読み取り面及び画像形成面を設定するための両面設定欄２２５、用紙予約設定欄２２６が設けられている。
【００３９】
この機能登録用の入力画面Ｇ２によって設定された各種条件は、図５の登録ダイアログ２１０に反映されるとともに、当該各種条件と各記録媒体の名称とが関連付けされて、不揮発メモリ１４に記憶されることになる。
【００４０】
また、図４の用紙設定ダイアログ２０７のトレイ設定ボタン２０８をタッチした場合には、操作表示制御部２１はＬＣＤ２２を制御して、図８のトレイダイアログ２２７を設定画面Ｇ１上に表示させる。トレイダイアログ２２７には、各収納トレイを選択するためのトレイボタン２２８〜２３２と、選択した収納トレイに対して各種設定を行うためのトレイ設定欄２３３とが設けられている。トレイ設定欄２３３には、サイズ設定ボタン２３４、エアーブロー設定ボタン２３５、紙種条件選択ボタン２３６が設けられており、紙種条件選択ボタン２３６がタッチされると、操作表示制御部２１はＬＣＤ２２を制御して、図９に示す紙種選択ダイアログ２３７を設定画面Ｇ１上に表示させる。
【００４１】
紙種選択ダイアログ２３７は、登録ダイアログ２１０で登録されている内容が反映されて表示されており、登録された記録媒体種のうち、一つが選択されると、その選択された記録媒体種に関する各種条件が収納トレイに対して関連付けされるようになっている。この関連付けにおいても、不揮発メモリ１４に記憶されることになる。
【００４２】
上述した手順で、記録媒体の各種類もしくは各収納トレイ毎に各種条件が設定されてから画像形成を開始する際には、まず操作表示制御部２１はＬＣＤ２２を制御して、図１０に示す画像形成選択画面Ｇ３を表示させる。この画像形成選択画面Ｇ３は、これから開始される画像形成に対して各種条件を設定するためのものであり、前述の入力画面Ｇ２と同様に原稿設定欄２２０、画質設定欄２２１、倍率設定欄２２２、応用設定欄２２３、出力設定欄２２４、両面設定欄２２５が設けられている。さらに、画像形成選択画面Ｇ３には、収納トレイを選択するトレイ選択欄２３８が設けられている。トレイ選択欄２３８には、各収納トレイ毎に関連付けられた記録媒体種、サイズ等が表示されている。
【００４３】
ユーザは、原稿設定欄２２０、画質設定欄２２１、倍率設定欄２２２、応用設定欄２２３、出力設定欄２２４、両面設定欄２２５を使用することで、画像形成毎にその都度各種条件を設定することもできるが、トレイ選択欄２３８の中でこれから使用する収納トレイを選択することで、当該収納トレイに関連付けられている記録媒体種の各種条件をそのまま使用することも可能である。
【００４４】
具体的に説明すると、トレイ選択欄２３８の中でこれから使用する収納トレイが選択されると、その旨が操作表示部２０からＣＰＵ１１に入力される。以下、図１１のフローチャートを参考に説明すると、前述した操作表示部２０からの入力があると、ＣＰＵ１１はステップＳ１に移行して、トレイ選択欄２３８で選択された収納トレイの各種条件を不揮発メモリ１４から取得する。
【００４５】
ステップＳ２では、ＣＰＵ１１は、取得した各種条件に出力処理に関する設定が登録されているかを判断し、登録されていない場合には終了し、登録されている場合にはステップＳ３に移行する。
ステップＳ３では、ＣＰＵ１１は、ステップＳ１で取得した各種条件から登録済みの出力処理に関する設定を取得する。
ステップＳ４では、ＣＰＵ１１は、出力処理に関する設定を画像形成データにセットし、終了する。
【００４６】
その後、画像形成時になると、ＣＰＵ１１は画像形成データに合成処理を示すデータが含まれている場合には、合成処理で用いられる固有の画像データが原稿画像データに重ね書きされるようにＤＲＡＭ制御ＩＣ１６を制御する。これにより、原稿画像データに基づく画像形成処理中に、原稿画像データに固有の画像データを重ね書きする合成処理が施されることになる。
また、画像形成データに後処理を示すデータが含まれている場合には、ＣＰＵ１１はプリンタ制御部７１を介して後処理制御部５５を制御する。これにより、画像形成処理後に記録媒体に後処理が施されることになる。
【００４７】
以上のように、本実施形態の画像形成装置１００によれば、記録媒体の各種類に対応する出力処理内容が当該種類の名称とともに予め不揮発メモリ１４に記憶されているので、画像形成毎にその都度出力処理内容を細かく設定しなくとも、操作表示部２０から収納トレイを選択すれば、記録媒体の種類を特定できるとともに、この種類に対応した処理内容が設定されることになる。これにより、設定された出力処理内容が実行されるので、設定作業を効率化するとともに出力処理の正確性を高めることができる。
【００４８】
また、操作表示部２０からの入力内容に基づいて、不揮発メモリ１４が記録媒体の各種類に対応する出力処理内容を書き換えて記憶するので、各記録媒体に対する出力処理内容の設定を切り替えることができ、ユーザービリティを向上させることができる。
なお、本発明は上記実施の形態に限らず適宜変更可能であるのは勿論である。
【図面の簡単な説明】
【００４９】
【図１】本実施形態に係る画像形成装置の概略構成を表す正面図である。
【図２】図１の画像形成装置の主制御構成を表すブロック図である。
【図３】図１の画像形成装置に備わる操作表示部の表示例を表す一例である。
【図４】図１の画像形成装置に備わる操作表示部の表示例を表す一例である。
【図５】図１の画像形成装置に備わる操作表示部の表示例を表す一例である。
【図６】図１の画像形成装置に備わる操作表示部の表示例を表す一例である。
【図７】図１の画像形成装置に備わる操作表示部の表示例を表す一例である。
【図８】図１の画像形成装置に備わる操作表示部の表示例を表す一例である。
【図９】図１の画像形成装置に備わる操作表示部の表示例を表す一例である。
【図１０】図１の画像形成装置に備わる操作表示部の表示例を表す一例である。
【図１１】図１の画像形成装置で実行されるプログラムのフローチャートである。
【符号の説明】
【００５０】
１      本体
２      後処理部
３      大容量トレイユニット
１０      状態管理部
１１      ＣＰＵ（制御部）
１２      プログラムメモリ
１４      不揮発メモリ
１５      読取処理部（データ作成部）
１６      ＤＲＡＭ制御ＩＣ（画像形成部）
１７      圧縮・伸長ＩＣ
１８      画像メモリ
１９      書込処理部
２０      操作表示部（入力部）
３０      スキャナ部（データ作成部）
３２      スキャナ
４０      ＡＤＦ部
５０      プリンタ部
５６      ローラ（搬送部）
６０      プリントコントローラ部（データ作成部）
８７ａ〜８７ｃ    収納トレイ
８８      給紙ローラ（搬送部）
８９      レジストローラ（搬送部）
９４      排出ローラ（搬送部）
１００      画像形成装置
ＰＣ      ＰＣ（データ作成部）
【図１】
0004816062.tif 000002
【図２】
0004816062.tif 000003
【図３】
0004816062.tif 000004
【図４】
0004816062.tif 000005
【図５】
0004816062.tif 000006
【図６】
0004816062.tif 000007
【図７】
0004816062.tif 000008
【図８】
0004816062.tif 000009
【図９】
0004816062.tif 000010
【図１０】
0004816062.tif 000011
【図１１】
0004816062.tif 000012